(57)【要約】【課題】各種商品や商品を包装する容器に貼着して使用する多量の商品情報を表示可能なラベルを冊子形状の構造のラベルを提供する。【解決手段】１枚のシートを折目に沿って二つ折りした二つ折り内側シート１と該二つ折り内側シート１外側に１枚のシートを前記折目と整合して重なる折目に沿って綴糊３にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されている。【選択図】図１
2004240243.tif 000002
【特許請求の範囲】
【請求項１】
１枚のシートを折目に沿って二つ折りした二つ折り内側シート１と該二つ折り内側シート１外側に１枚のシートを前記折目と整合して重なる折目に沿って綴糊にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されていることを特徴とする冊子状ラベル。
【請求項２】
２枚乃至数枚のシートを重ね合わせ折目に沿って綴糊にて綴じ付け二つ折りした二つ折り内側シート１と該二つ折り内側シート１外側に１枚のシートを前記折目と整合して重なる折目に沿って綴糊にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されていることを特徴とする冊子状ラベル。
【請求項３】
前記延設シート部の端部がラベルシート状部Ｂ上面に剥離可能又は剥離・再接着可能に貼着されていることを特徴とする請求項１又は請求項２記載の冊子状ラベル。
【請求項４】
前記延設シート部と前記ラベルシート状部Ｂ上面に貼着された延設シート部の端部の貼着領域との境界部分に沿って、切離ミシン目が設けられていることを特徴とする請求項１又は請求項２記載の冊子状ラベル。
【発明の詳細な説明】
【０００１】
【発明の属する技術分野】
本発明は、各種商品や商品を包装する容器に貼着して使用する多量の商品情報を表示可能な冊子状ラベルに関する。
【０００２】
【従来の技術】
各種商品や商品を包装する容器に貼着して使用する多量の商品情報を表示可能な従来のラベルとしては、図８（ａ）に示すように、１枚のシート１１を折目を介して巻き折り状など適宜形状に折り畳んで形成された折畳状部Ａと、該折畳状部Ａの一端部の下面を貼着し、粘着剤層を備えたラベルシート状部Ｂとにより形成されている。
【０００３】
そして、折畳状部Ａの折り畳まれたシート１１の一端部１１ａ側を内側に、他端部１１ｂ側を外側にして折り畳んだ構造であり、その他端部１１ｂ側の延設シート１１ｃをラベルシート状部Ｂの上面に貼着、又は剥離、再接着可能に貼着してシート１１を封止したものである。
【０００４】
上記ラベルは、ラベルシート状部Ｂに貼着されている延設シート１１ｃを切離ミシン目１１ｄを介してラベルシート状部Ｂの上面から切り離して開封し、図８（ｂ）に示すように、折り畳まれたシート１１を引き伸ばすことにより、そのシート１１の表裏に表示された商品情報を確認することができる。
【０００５】
【特許文献１】
特開平１１−２７７６４５号
【特許文献２】
実用新案登録第３０２７０８３号
【０００６】
【発明が解決しようとする課題】
しかしながら、上記ラベルは、１枚のシートが折り畳まれた構造であるため、開封すると、シート１１を図８（ｂ）に示すように伸ばして拡げなければならない。また、ラベルを一旦開封してシート１１を拡げ、ラベル情報を確認した後には、シート１１が邪魔にならないように元の状態に折り畳む手間が掛かる。
【０００７】
本発明は、各種商品や商品を包装する容器に貼着して使用する多量の商品情報を表示可能なラベルを冊子形状の構造にすることにより、上記不都合を解消することにある。
【０００８】
【課題を解決するための手段】
本発明の請求項１に係る発明は、１枚のシートを折目に沿って二つ折りした二つ折り内側シート１と該二つ折り内側シート１外側に１枚のシートを前記折目と整合して重なる折目に沿って綴糊にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されていることを特徴とする冊子状ラベルである。
【０００９】
本発明の請求項２に係る発明は、２枚乃至数枚のシートを重ね合わせ折目に沿って綴糊にて綴じ付け二つ折りした二つ折り内側シート１と該二つ折り内側シート１外側に１枚のシートを前記折目と整合して重なる折目に沿って綴糊にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されていることを特徴とする冊子状ラベルである。
【００１０】
本発明の請求項３に係る発明は、上記請求項１又は請求項２に係る冊子状ラベルにおいて、前記延設シート部の端部がラベルシート状部Ｂ上面に剥離可能又は剥離・再接着可能に貼着されていることを特徴とする冊子状ラベルである。
【００１１】
本発明の請求項４に係る発明は、上記請求項１又は請求項２に係る冊子状ラベルにおいて、前記延設シート部と前記ラベルシート状部Ｂ上面に貼着された延設シート部の端部の貼着領域との境界部分に沿って、切離ミシン目が設けられていることを特徴とする冊子状ラベルである。
【００１２】
【発明の実施の形態】
本発明の冊子状ラベルの一実施の形態を、図１（ａ）〜（ｂ）に従って以下に詳細に説明すれば、図１（ａ）の側面図に示すように、冊子状部Ａと、冊子状部Ａの折目側の端部が貼着され粘着剤層を備えたラベルシート状部Ｂとにより構成されている。
【００１３】
冊子状部Ａは、１枚のシートを折目１ａに沿って二つ折りした二つ折り内側シート１と、該二つ折り内側シート１外側に１枚のシートを前記折目１ａと整合して重なる折目２ｂに沿って綴糊３にて綴じ付けし、二つ折りした二つ折り外側シート２とにより形成され、前記二つ折り外側シート２の最上面シート２ｃの見開き端部には、延設シート部２ｄが形成されている。
【００１４】
ラベルシート状部Ｂは、ラベルシート基材６と、その裏面に粘着剤層７と、剥離シート８（セパレータ）とにより構成されている。
【００１５】
前記冊子状部Ａは、二つ折り外側シート２の最下面シート２ａの前記折目１ａ、２ｂ側の端部が、接着剤層４を介して前記ラベルシート状部Ｂ（ラベルシート基材６）の上面に貼着されている。
【００１６】
そして、冊子状部Ａの前記延設シート部２ｄの貼着端部２ｆは、ラベルシート状部Ｂの上面に接着剤層５を介して貼着されていて、冊子状部Ａが封止されているものである。
【００１７】
上記冊子状ラベルにおいては、前記延設シート部２ｄの貼着端部２ｆは、ラベルシート状部Ｂ上面に剥離可能な接着剤層５を介して貼着されていてもよいし、又は剥離後にも再接着可能な接着剤層５を介して貼着されていてもよい。
【００１８】
また上記冊子状ラベルにおいては、図１（ａ）に示すように、前記延設シート部２ｄと前記ラベルシート状部Ｂ上面に、接着剤層５を介して剥離不能に貼着された延設シート部２ｄの貼着端部２ｆの貼着領域との境界部分に沿って、切離ミシン目２ｅが設けられていてもよい。
【００１９】
上記冊子状ラベルは、二つ折り外側シート２の最上面シート２ｃに延設された延設シート部２ｄの貼着端部２ｆを、ラベルシート状部Ｂ上面より剥離することにより、又は、該延設シート部２ｄを切離ミシン目２ｅを介して端部２ｆから切り離すことにより、図１（ｂ）に示すように冊子状部Ａを開封することができ、二つ折り内側シート１、外側シート２の各シート面に印刷表示されているラベル情報を確認することができる。
【００２０】
また、ラベルシート状部Ｂ上面より剥離した延設シート部２ｄの貼着端部２ｆは、必要に応じて接着剤層５にて再接着して封止することができる。
【００２１】
図２は、本発明の冊子状ラベルの他の実施の形態を説明する側面図であり、冊子状部Ａと、冊子状部Ａの折目側の端部が貼着され粘着剤層を備えたラベルシート状部Ｂとにより構成されていて、冊子状部Ａは、２枚又は２枚以上のシートを折目１ａに沿って二つ折りした二つ折り内側シート１と、該二つ折り内側シート１外側に、１枚のシートを前記折目１ａと整合して重なる折目２ｂに沿って綴糊３にて綴じ付けし、二つ折りした二つ折り外側シート２とにより形成され、前記二つ折り外側シート２の最上面シート２ｃの見開き端部には、延設シート部２ｄが形成されている。
【００２２】
ラベルシート状部Ｂは、ラベルシート基材６と、その裏面に粘着剤層７と、剥離シート８（セパレータ）とにより構成されている。
【００２３】
前記冊子状部Ａは、二つ折り外側シート２の最下面シート２ａの前記折目１ａ、２ｂ側の端部が、接着剤層４を介して前記ラベルシート状部Ｂ（ラベルシート基材６）の上面に貼着されている。
【００２４】
そして、冊子状部Ａの前記延設シート部２ｄの貼着端部２ｆは、ラベルシート状部Ｂの上面に接着剤層５を介して貼着されていて、冊子状部Ａが封止されているものである。
【００２５】
上記冊子状ラベルにおいては、前記延設シート部２ｄの貼着端部２ｆはラベルシート状部Ｂ上面に、剥離可能な接着剤層５を介して貼着されていてもよいし、又は剥離後にも再接着可能な接着剤層５を介して貼着されていてもよい。
【００２６】
また上記冊子状ラベルにおいては、図２に示すように、前記延設シート部２ｄと、前記ラベルシート状部Ｂ上面に剥離不能な接着剤層５にて貼着された延設シート部２ｄの貼着端部２ｆの貼着領域との境界部分に沿って、切離ミシン目２ｅが設けられていてもよい。
【００２７】
次に、本発明の冊子状ラベルの製造方法について、図３、図４に基づいて以下に詳細に説明する。
【００２８】
図３に示すように、まず、長巻状の印刷シート２１（印刷用紙、ラベル用紙）を巻出手段３１より巻き出し送行し、それと平行して、長巻状の印刷シート２２（印刷用紙、ラベル用紙）を巻出手段３２より巻き出し送行して、印刷シート２１を印刷ユニット３３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入し、印刷シート２２を印刷ユニット３４（上記各種印刷方式による印刷ユニット）に導入して、それぞれ印刷シート２１、２２の片面又は両面に、適宜にラベル表示用の印刷を施す。
【００２９】
印刷ユニット３３にて印刷された印刷シート２１は、ガイドロール３１ａを通過した後、接着剤塗布手段３５に導入され、図６（ａ）に示すように、該印刷シート２１片面（上面）の中央領域の印刷シート送行方向に沿って接着剤層３（綴糊）を塗布するとともに、その印刷シート２１片面（上面）のシート両端に沿って接着剤層２３、２３を塗布する。
【００３０】
他方、印刷ユニット３４にて印刷された印刷シート２２は、ガイドロール３２ａを通過した後、接着剤層３（綴糊）、接着剤層２３、２３の塗布された印刷シート２１と重ね合わせられながら貼り合わせロール手段３６に導入されて、図６（ａ）に示すように、互いに接着剤層３、２３、２３にて貼り合わせられる。
【００３１】
貼り合わせられた印刷シート２１、２２は、続いて、図３に示すスリット手段３７（圧ロール３７ａ、カッターロール３７ｂ間）に導入されて、図６（ａ）に示すように、印刷シート２２の幅方向の片側に、その片側端縁より所定幅（Ｌ＋Ｍ）にて印刷シート送行方向に沿ってカッティングライン２５が刻切されて、図６（ａ）に示すように第１貼り合わせシート３８として形成され、該貼り合わせシート３８は、図３に示すように、一旦、巻取手段３９にて長巻状に巻き取られる。
【００３２】
次に長巻状に巻き取られた上記第１貼り合わせシート３８は、図４に示すように巻出手段にて巻き出し送行して、スリット手段４０（圧ロール４０ａ、カッターロール４０ｂ間）に導入されて、図６（ａ）に示すように、印刷シート２１、２２は、その両側にある接着剤層２３の内側にて、印刷シート送行方向に沿ってシート両端縁より所定幅Ｌにてスリットされて、シート幅方向の両側にカッティングライン２４、２４が刻切され、図６（ａ）に示すように両側のカッティングライン２４、２４と片側のカッティングライン２５を形成した貼り合わせシート３８が形成される。
【００３３】
続いて、カッティングライン２４、２４とカッティングライン２５を形成した貼り合わせシート３８は、図４に示すように剥離ロール４１に導入されて、カッティングライン２４、２４によりカッティングされた印刷シート２１、２２の幅Ｌの両端部と、カッティングライン２５によりカッティングされた印刷シート２２の幅Ｍの片端部とが剥離巻取手段４２にて巻き取られながら送行し、図６（ｂ）に示すように、印刷シート２２に対して印刷シート２１の幅方向一端部に延設シート部２１ａを有する第２貼り合わせシート４３として形成される。なお、前記両側のカッティングライン２４、２４と片側のカッティングライン２５の刻切は、図３に示すスリット手段３７又は図４に示すスリット手段４０のいずれか一方により同時に行うことは可能である。
【００３４】
続いて、第２貼り合わせシート４３は、図４に示すように、折りロール４４を備えたホールダー手段（折り手段）に導入されて、シート２１、２２の送行方向の中央領域に塗布形成された前記接着剤層３（綴糊）に沿って折り曲げられ、続いて押圧対向する１対のニップロール４５間に導入され、図６（ｃ）に示すように印刷シート２１、２２は二つ折りされ、前記延設シート部２１ａは、延設部２１ｄと貼着用延設端部２１ｆとなって、長巻状の冊子状部Ａが形成される。
【００３５】
二つ折り冊子状に形成されて送行する前記長巻状の冊子状部Ａは、図４に示すように、ガイドロール３９ａを通過した後、貼り合わせ手段４６に導入され、他方、巻出手段５０から巻き出され送行するラベル基材６、粘着剤層７、セパレータ８からなる長巻状のラベルシート状部Ｂのラベル基材６面には、図６（ｃ）に示すように冊子状部Ａの幅方向両端部（接着剤層３の真下と貼着用延設端部２１ｆの真下）に重なる領域に送行方向に沿って接着剤塗布手段５１（接着剤塗布ノズル）にて接着剤が塗布されて接着剤層４、５が形成された後に、図４に示すように貼り合わせ手段４６に導入されて、図６（ｄ）に示すように、長巻状の冊子状部Ａの接着剤層３の真下及び貼着用延設端部２１ｆの真下と、長巻状のラベルシート状部Ｂのラベル基材６は、接着剤層４、５により貼り合わされる。なお、長巻状のラベルシート状部Ｂの表面（上面）にはラベル情報等の適宜情報や印刷を施すことが可能である。
【００３６】
続いて、図４に示すように、貼り合わされた長巻状の冊子状部Ａと長巻状のラベルシート状部Ｂは、ロータリーカッター（型抜き）手段４７（圧ロール４７ａ、型抜きロール４７ｂ）に導入されて、長巻状のラベルシート状部Ｂの幅方向両側のセパレータ８を残してラベル基材６と粘着剤層７（あるいは貼着用延設端部２１ｆとラベル基材６と粘着剤層７）とを送行方向に沿って型抜きカッティングして、図６（ｄ）に示すように型抜き部２７、２８を刻切し、また、必要に応じて印刷シート２１の貼着用延設端部２１ｆに切離ミシン目２１ｅを刻切するともに、送行方向と直交する送行前後方向に沿って、長巻状の冊子状部Ａと、長巻状のラベルシート状部Ｂのラベル基材６、粘着剤層７を型抜きカッティングする。
【００３７】
続いて、図４に示すように、型抜きカッティングされた長巻状の冊子状部Ａと長巻状のラベルシート状部Ｂとを剥離ロール４８に導入して、型抜きカッティングされた余白の長巻状冊子状部Ａと長巻状ラベルシート状部Ｂの余白のラベル基材６、粘着剤層７とを剥離巻取手段４９にて巻き取りながらセバレータ８から剥離することにより、型抜きカッティングされた冊子状部Ａとラベルシート状部Ｂ（ラベル基材６、粘着剤層７）は、長尺状のセパレータ８上に断続的に等間隔に配列されて接着した状態で、図６（ｅ）に示すような冊子状部Ａとラベルシート状部Ｂとからなる本発明の冊子状ラベルが製造され、長尺状のセパレータ８とともに巻取手段５２にて巻き取られる。
【００３８】
このようにして製造された本発明の冊子状ラベルの冊子状部Ａは、図６（ｅ）に示すように、１枚の前記印刷シート２２を折目に沿って二つ折りした二つ折り内側シート１と、該二つ折り内側シート１外側に１枚の前記印刷シート２１を前記折目と整合して重なる折目に沿って綴糊３にて綴じ付けし、二つ折りした二つ折り外側シート２とにより形成され、前記二つ折り外側シート２の最上面シート２ｃの見開き端部には延設シート部２ｄが形成され、ラベルシート状部Ｂは、ラベルシート基材６と、その裏面に粘着剤層７と、剥離シート８（セパレータ）とにより構成される。
【００３９】
前記冊子状部Ａは、二つ折り外側シート２の最下面シートの前記折目端部が、接着剤層４を介して前記ラベルシート状部Ｂ（ラベルシート基材６）の上面に貼着されていて、接着剤層５にて貼着されている冊子状部Ａの前記貼着用延設端部２１ｆは、前記延設シート部２ｄの貼着端部２ｆとなって、ラベルシート状部Ｂの上面に接着剤層５を介して貼着されていて、冊子状部Ａの内側シート１を最上面シート２ｃと延設シート部２ｄによって封止しているものである。
【００４０】
このようにして製造された本発明の冊子状ラベルは、図６（ｅ）に示すように貼着端部２ｆを、ラベル基材６面から切り破り又は剥離し、又は切離ミシン目２ｅを介して切り離し、図６（ｆ）に示すように、冊子状部Ａを開封して、その外側シート２、内側シート１の各シート面に印刷表示されているラベル情報を確認することができる。
【００４１】
次に、本発明の冊子状ラベルの製造方法の他の実施の形態について、図５に基づいて以下に詳細に説明する。
図５に示すように、まず、長巻状の印刷シート２０（印刷用紙、ラベル用紙）を巻出手段３１より巻き出し送行し、印刷シート２０を印刷ユニット３３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入して、印刷シート２０の片面又は両面に適宜にラベル表示用の印刷を施す。
【００４２】
続いて、図５に示すように、印刷された印刷シート２０をスリット手段３０（圧ロール３０ａ、ロータリースリッタ刃３０ｂ間）に導入して、半分に分割された２条の印刷シート２１、２２を形成し、下側のガイドロール３１ａと上側のガイドロール３２ａにて印刷シート２１、２２をそれぞれ下側と上側に振り分けて送行させる。
【００４３】
続いて、下側を送行する印刷された印刷シート２１は、ガイドロール３１ａを通過した後に接着剤塗布手段３５に導入され、図６（ａ）に示すように、該印刷シート２１片面（上面）の中央領域の印刷シート送行方向に沿って接着剤層３（綴糊）を塗布するとともに、その印刷シート２１片面（上面）のシート両端に沿って接着剤層２３、２３を塗布する。
【００４４】
他方、上側を送行する印刷された印刷シート２２は、ガイドロール３２ａ（この場合、印刷シート２１の送行路と上下に重合するように送行位相を変換させるターンガイドロールを使用）を通過させて、接着剤層３、２３、２３の塗布された前記印刷シート２１と重ね合わせながら、貼り合わせロール手段３６に導入されて、図６（ａ）に示すように互いに接着剤層３、２３、２３にて印刷シート２１と印刷シート２２は貼り合わせられる。
【００４５】
続いて、貼り合わせられた印刷シート２１、２２は、図５に示すように、スリット手段３７（圧ロール３７ａ、カッターロール３７ｂ間）に導入されて、図６（ａ）に示すように、印刷シート２２の幅方向の片側に、その片側端縁より所定幅（Ｌ＋Ｍ）にて印刷シート送行方向に沿ってカッティングライン２５が刻切されて、図６（ａ）に示すように第１貼り合わせシート３８として形成され、該貼り合わせシート３８は、図３に示すように、一旦、巻取手段３９にて長巻状に巻き取られる。
【００４６】
長巻状に巻き取られた第１貼り合わせシート３８は、その後、図４にて説明した製造工程と同様にして加工されて、本発明の冊子状ラベルが製造される。
【００４７】
本発明の冊子状ラベルの製造方法のその他の実施の形態を、図３〜図４、及び図７（ａ）〜（ｅ）に基づいて以下に詳細に説明する。
【００４８】
図３に示すように、まず、長巻状の印刷シート２１（印刷用紙、ラベル用紙）を巻出手段３１より巻き出し送行し、それと平行して長巻状の印刷シート２２（印刷用紙、ラベル用紙）を巻出手段３２より巻き出し送行し、さらに、それと平行して長巻状の他の印刷シート２２（印刷用紙、ラベル用紙、図示せず）を他の巻出手段（図示せず）より巻き出し送行して、印刷シート２１を印刷ユニット３３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入し、巻出手段３２より巻き出した印刷シート２２を印刷ユニット３４（上記各種印刷方式と同様の印刷ユニット）に導入して、それぞれ印刷シート２１、２２の片面又は両面に、適宜にラベル表示用の印刷を施し、他の巻出手段より巻き出した印刷シート２２を、他の印刷ユニット（上記各種印刷方式と同様の印刷ユニット、図示せず）に導入して、それぞれ印刷シート２１と、２条の各印刷シート２２、２２の片面又は両面に、適宜にラベル表示用の印刷を施す。なお、２条の印刷シート２２、２２のうち、他の印刷シート２２は、予め印刷された状態のシートであってもよい。
【００４９】
印刷ユニット３３にて印刷された印刷シート２１は、ガイドロール３１ａを通過した後、接着剤塗布手段３５に導入され、図７（ａ）に示すように、該印刷シート２１片面（上面）の中央領域の印刷シート送行方向に沿って接着剤層３（綴糊）を塗布するとともに、その印刷シート２１片面（上面）のシート両端に沿って、接着剤層２３、２３を塗布する。
【００５０】
他方、印刷ユニット３４にて印刷された印刷シート２２は、ガイドロール３２ａを通過した後、前記接着剤塗布手段３５と同様の塗布手段（図示せず）に導入され、図７（ａ）に示すように、該印刷シート２２片面（上面）の中央領域の印刷シート送行方向に沿って接着剤層３（綴糊）を塗布するとともに、その印刷シート２２片面（上面）のシート両端に沿って、接着剤層２３、２３を塗布する。
【００５１】
そして図３に示すように、印刷された他の印刷シート２２（図示せず）と、接着剤層３（綴糊）、接着剤層２３、２３の塗布されたそれぞれ印刷シート２２、印刷シート２１とを重ね合わせながら貼り合わせロール手段３６に導入して、図７（ａ）に示すように、印刷シート２１、印刷シート２２、他の印刷シート２２は、互いに接着剤層３、２３、２３にて貼り合わせられる。
【００５２】
貼り合わせられた印刷シート２１、２２、２２は、続いて、図３に示すようにスリット手段３７（圧ロール３７ａ、カッターロール３７ｂ間）に導入されて、図７（ａ）に示すように、印刷シート２２、２２の幅方向の片側に、その片側端縁より所定幅（Ｌ＋Ｍ）にて印刷シート送行方向に沿ってカッティングライン２５が刻切されて、図７（ａ）に示すように第１貼り合わせシート３８として形成され、該印刷シート２１、２２、２２の貼り合わされた第１貼り合わせシート３８は、図３に示すように、一旦、巻取手段３９にて長巻状に巻き取られる。
【００５３】
次に、図４に示すように、長巻状に巻き取られた印刷シート２１、２２、２２の貼り合わされた第１貼り合わせシート３８は巻出手段にて巻き出し送行して、スリット手段４０（圧ロール４０ａ、カッターロール４０ｂ間）に導入されて、図７（ａ）に示すように、印刷シート２１、２２、２２は、その両側にある接着剤層２３の内側にて、印刷シート送行方向に沿ってシート両端縁より幅Ｌにてスリットされて、シート幅方向の両側にカッティングライン２４、２４が刻切されて、図７（ａ）に示すように両側のカッティングライン２４、２４と片側のカッティングライン２５を形成した貼り合わせシート３８が形成される。
【００５４】
続いて、カッティングライン２４、２４とカッティングライン２５を形成した貼り合わせシート３８は、図４に示すように剥離ロール４１に導入されて、カッティングライン２４、２４によりカッティングされた印刷シート２１、２２、２２の幅Ｌの両端部と、カッティングライン２５によりカッティングされた印刷シート２２、２２の幅Ｍの片端部とが剥離巻取手段４２にて巻き取られながら送行し、図７（ｂ）に示すように、印刷シート２２、２２に対して印刷シート２１の幅方向一端部に延設シート部２１ａを有する第２貼り合わせシート４３として形成される。なお、前記両側のカッティングライン２４、２４と片側のカッティングライン２５の刻切は、図３に示すスリット手段３７又は図４に示すスリット手段４０のいずれか一方により同時に行うことは可能である。
【００５５】
続いて、第２貼り合わせシート４３は、図４に示すように、折りロール４４を備えたホルダー手段に導入されて、シート２１、２２、２２の送行方向の中央領域に塗布形成された前記接着剤層３（綴糊）に沿って折り曲げられ、続いて押圧対向する１対のニップロール４５間に導入され、図７（ｃ）に示すように印刷シート２１、２２、２２は二つ折りされ、前記延設シート部２１ａは、延設部２１ｄと貼着用延設端部２１ｆとなって、長巻状の冊子状部Ａが形成される。
【００５６】
形成されて送行する前記長巻状の冊子状部Ａは、図４に示すように、ガイドロール３９ａを通過した後、貼り合わせ手段４６に導入され、他方、巻出手段５０から巻き出され送行するラベル基材６、粘着剤層７、セパレータ８からなる長巻状のラベルシート状部Ｂのラベル基材６面には、図７（ｃ）に示すように冊子状部Ａの幅方向両端部（接着剤層３の真下と貼着用延設端部２１ｆの真下）に重なる領域に送行方向に沿って接着剤塗布手段５１にて接着剤が塗布されて接着剤層４、５が形成された後に、図４に示すように貼り合わせ手段４６に導入されて、図７（ｄ）に示すように、長巻状の冊子状部Ａの接着剤層３の真下及び貼着用延設端部２１ｆの真下と、長巻状のラベルシート状部Ｂのラベル基材６は、接着剤層４、５により貼り合わされる。
【００５７】
続いて、図４に示すように、貼り合わされた長巻状の冊子状部Ａと長巻状のラベルシート状部Ｂは、ロータリーカッター（型抜き）手段４７（圧ロール４７ａ、型抜きロール４７ｂ）に導入されて、長巻状のラベルシート状部Ｂの幅方向両側のセパレータ８を残してラベル基材６と粘着剤層７（あるいは貼着用延設端部２１ｆとラベル基材６と粘着剤層７）とを送行方向に沿って型抜きカッティングして、図７（ｄ）に示すように型抜き部２７、２８を刻切し、また、必要に応じて印刷シート２１の貼着用延設端部２１ｆに切離ミシン目２１ｅを刻切するともに、送行方向と直交する送行前後方向に沿って、長巻状の冊子状部Ａと、長巻状のラベルシート状部Ｂのラベル基材６、粘着剤層７を型抜きカッティングする。
【００５８】
続いて、図４に示すように、型抜きカッティングされた長巻状の冊子状部Ａと長巻状のラベルシート状部Ｂとを剥離ロール４８に導入して、型抜きカッティングされた余白の長巻状冊子状部Ａと長巻状ラベルシート状部Ｂの余白のラベル基材６、粘着剤層７とを、剥離巻取手段４９にて巻き取りながら、セバレータ８から剥離することにより、図７（ｅ）に示すような冊子状部Ａとラベルシート状部Ｂとからなる本発明の冊子状ラベルが製造される。
【００５９】
【発明の効果】
本発明の冊子状ラベルは、ラベルが中綴じ形式の数頁の紙葉からなる冊子状になっているため、従来の１枚のシートを折り畳んだ構造とは異なり、ラベル情報を確認するために、開封した後のラベルシートを伸ばして拡げる手間が省け、またラベル情報を確認した後にラベルを元の状態に折り畳む手間が省け、また各種商品や商品を包装した容器に容易に貼着して使用でき、ラベルには豊富な商品関連情報を掲載、表示することができる。
【図面の簡単な説明】
【図１】（ａ）〜（ｂ）は本発明の冊子状ラベルの一実施の形態を説明する側面図。
【図２】本発明の冊子状ラベルの他の実施の形態を説明する側面図。
【図３】本発明の冊子状ラベルの製造方法の一実施の形態を説明する側面図。
【図４】本発明の冊子状ラベルの製造方法の一実施の形態を説明する側面図。
【図５】本発明の冊子状ラベルの製造方法の他の実施の形態を説明する側面図。
【図６】（ａ）〜（ｆ）は本発明の冊子状ラベルの製造工程図。
【図７】（ａ）〜（ｅ）は本発明の冊子状ラベルの他の製造工程図。
【図８】（ａ）〜（ｂ）は従来のラベル形態を説明する側面図。
【符号の説明】
１…内側シート  １ａ…折目  ２…外側シート  ２ａ…最下面シート
２ｂ…折目  ２ｃ…最上面シート  ２ｄ…延設シート  ２ｅ…切離ミシン目
２ｆ…貼着端部  ３…接着剤層（綴糊）  ４…接着剤層  ５…接着剤層
６…ラベル基材  ７…粘着剤  ８…セパレータ
２０、２１…印刷シート  ２１ａ…延設シート部  ２１ｄ…延設部
２１ｅ…切離ミシン目  ２１ｆ…貼着用延設端部  ２２…印刷シート
２３…接着剤層  ２４…カッティングライン  ２５…カッティングライン
２７、２８…型抜き部
３０…スリット手段  ３１、３２…巻出手段  ３３、３４…印刷ユニット
３５…接着剤塗布手段  ３６…貼り合わせロール  ３７…スリット手段
３８…第１貼り合わせシート  ３９…巻取手段
４０…スリット手段  ４１…剥離ロール  ４２…剥離巻取手段
４３…第２貼り合わせシート  ４４…折りロール  ４５…ニップロール
４６…貼り合わせロール  ４７…ロータリーカッター（型抜き）手段
４８…剥離ロール  ４９…剥離巻取手段  ５０…巻出手段  ５１…接着剤塗布手段  ５２…巻取手段
【図１】
2004240243.tif 000003
【図２】
2004240243.tif 000004
【図３】
2004240243.tif 000005
【図４】
2004240243.tif 000006
【図５】
2004240243.tif 000007
【図６】
2004240243.tif 000008
【図７】
2004240243.tif 000009
【図８】
2004240243.tif 000010
【手続補正書】
【提出日】平成15年2月10日(2003.2.10)
【手続補正１】
【補正対象書類名】明細書
【補正対象項目名】特許請求の範囲
【補正方法】変更
【補正の内容】
【特許請求の範囲】
【請求項１】
１枚のシートを折目に沿って二つ折りした二つ折り内側シート１と該二つ折り内側シート１外側に１枚のシートを前記折目と整合して重なる折目に沿って綴糊にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されていることを特徴とする冊子状ラベル。
【請求項２】
２枚乃至数枚のシートを重ね合わせ折目に沿って綴糊にて綴じ付け二つ折りした二つ折り内側シート１と該二つ折り内側シート１外側に１枚のシートを前記折目と整合して重なる折目に沿って綴糊にて綴じ付け二つ折りした二つ折り外側シート２とにより形成され、該二つ折り外側シート２の最上面シートの見開き端部に延設シート部が形成された冊子状部Ａと、該冊子状部Ａの最下面シートの前記折目側の端部が貼着され粘着剤層を備えたラベルシート状部Ｂとにより構成され、前記延設シート部の端部がラベルシート状部Ｂ上面に貼着されて冊子状部Ａが封止されていることを特徴とする冊子状ラベル。
【請求項３】
前記延設シート部の端部がラベルシート状部Ｂ上面に剥離可能又は剥離・再接着可能に貼着されていることを特徴とする請求項１又は請求項２記載の冊子状ラベル。
【請求項４】
前記延設シート部と前記ラベルシート状部Ｂ上面に貼着された延設シート部の端部の貼着領域との境界部分に沿って、切離ミシン目が設けられていることを特徴とする請求項１又は請求項２記載の冊子状ラベル。
【請求項５】
（ａ）長巻状の二条の印刷シートを平行して巻き出してそれぞれ印刷ユニットに導入し、各々印刷シートの片面又は両面に適宜にラベル表示用の印刷を施す印刷工程と、
（ｂ）一方の印刷シートを接着剤塗布手段に導入し、該印刷シート上面の中央領域とシート両端に印刷シート送行方向に沿って接着剤層を塗布形成する接着剤塗布工程と、
（ｃ）一方の印刷シートを他方の印刷シートに重ね合わせ前記接着剤層を介し貼り合わせて、貼り合わせ印刷シートを形成する貼り合わせ工程と、
（ｄ）貼り合わせ印刷シートをスリット手段に導入し、他方の印刷シートの片側端より所定幅（Ｌ＋Ｍ）における前記接着剤層より内側位置にて印刷シート送行方向に沿ってカッティングラインを刻切する片側端カッティング工程と、
（ｅ）該貼り合わせ印刷シートをスリット手段に導入し、一方及び他方の貼り合わせ印刷シートのそれぞれ両端側より所定幅（Ｌ）における前記接着剤層より内側位置にて印刷シート送行方向に沿ってカッティングラインを刻切し、第１貼り合わせシートを形成する両側端カッティング工程と、
（ｆ）第１貼り合わせシートを剥離ロールに導入し、カッティングされた幅（Ｌ＋Ｍ）の片端部と幅（Ｌ）の両端部とを剥離巻取手段にて巻き取り除去して、一方の印刷シートの幅方向一端部に延設シート部を有する第２貼り合わせシートを形成するカッティング部剥離巻取工程と、
（ｇ）該第２貼り合わせシートを折りロールを備えたホールダー手段と押圧対向する１対のニップロール間とに導入して、シート送行方向の中央領域に塗布形成された前記接着剤層に沿って二つ折りし、長巻状の冊子状部Ａを形成する二つ折り工程と、
（ｈ）二つ折り冊子状に形成されて送行する前記長巻状冊子状部Ａと、巻き出し送行するラベル基材、粘着剤層、セパレータからなる長巻状ラベルシート状部Ｂのラベル基材面の冊子状部Ａの幅方向両端部に重なる領域に、送行方向に沿って接着剤塗布手段にて接着剤層を塗布形成する冊子接着用接着剤塗布工程と、
（ｉ）前記長巻状冊子状部Ａと前記接着剤層を形成した長巻状ラベルシート状部Ｂとを貼り合わせ手段に導入して、長巻状冊子状部Ａの接着剤層の真下及び貼着用延設端部の真下と長巻状ラベルシート状部Ｂのラベル基材とを前記接着剤層により貼り合わせる冊子状部貼り合わせ工程と、
（ｊ）貼り合わされた長巻状冊子状部Ａと長巻状ラベルシート状部Ｂをロータリーカッター手段に導入して、長巻状ラベルシート状部Ｂの幅方向両側のセパレータを残してラベル基材と粘着剤層とを送行方向に沿ってラベル形状に型抜きカッティングし、且つ送行方向と直交する送行前後方向に沿って長巻状冊子状部Ａと長巻状ラベルシート状部のラベル基材、粘着剤層を型抜きカッティングするラベル型抜きカッティング工程と、
（ｋ）型抜きカッティングされた長巻状冊子状部Ａと長巻状ラベルシート状部Ｂとを剥離ロールに導入して、型抜きカッティングされた余白の長巻状冊子状部Ａと長巻状ラベルシート状部Ｂの余白のラベル基材、粘着剤層とを剥離巻取手段にて巻き取りながら長尺状セバレータ面から剥離して長尺状セパレータ面に型抜き配列された冊子状ラベルＡを形成するカッティング余白剥離工程と、
（ｌ）前記長尺状セパレータを、型抜き配列された冊子状ラベルＡととともに巻取手段にて巻き取る巻取工程
とを含むことを特徴とする冊子状ラベルの製造方法。
【請求項６】
請求項５記載の冊子状ラベルの製造方法において、前記（ｄ）片側端カッティング工程と、（ｅ）両側端カッティング工程とを、同一スリット手段により一工程にて行うことを特徴とする冊子状ラベルの製造方法。
【手続補正２】
【補正対象書類名】明細書
【補正対象項目名】００１０
【補正方法】変更
【補正の内容】
【００１０】
本発明の請求項３に係る発明は、上記請求項１又は請求項２に係る冊子状ラベルにおいて、前記延設シート部の端部がラベルシート状部Ｂ上面に剥離可能又は剥離・再接着可能に貼着されていることを特徴とする冊子状ラベルであり、また本発明の請求項４に係る発明は、上記請求項１又は請求項２に係る冊子状ラベルにおいて、前記延設シート部と前記ラベルシート状部Ｂ上面に貼着された延設シート部の端部の貼着領域との境界部分に沿って、切離ミシン目が設けられていることを特徴とする冊子状ラベルである。


【手続補正３】
【補正対象書類名】明細書
【補正対象項目名】００１１
【補正方法】変更
【補正の内容】
【００１１】
本発明の請求項５に係る発明は、図３、図４に示すように、
（ａ）長巻状の二条の印刷シート２１、２２を平行して巻き出してそれぞれ印刷ユニット３３、３４に導入し、各々印刷シート２１、２２の片面又は両面に適宜にラベル表示用の印刷を施す印刷工程と、
（ｂ）一方の印刷シート２１を接着剤塗布手段３５に導入し、該印刷シート２１上面の中央領域とシート両端に印刷シート送行方向に沿って接着剤層３、２３、２３を塗布形成する接着剤塗布工程と、
（ｃ）一方の印刷シート２１を他方の印刷シート２２に重ね合わせ前記接着剤層３、２３を介し貼り合わせて、貼り合わせ印刷シートを形成する貼り合わせ工程と、
（ｄ）貼り合わせ印刷シートをスリット手段３７に導入し、他方の印刷シート２２の片側端より所定幅（Ｌ＋Ｍ）における前記接着剤層２３より内側位置にて印刷シート送行方向に沿ってカッティングライン２５を刻切する片側端カッティング工程と、
（ｅ）該貼り合わせ印刷シートをスリット手段４０に導入し、一方及び他方の貼り合わせ印刷シート２１、２２のそれぞれ両端側より所定幅（Ｌ）における前記接着剤層２３より内側位置にて印刷シート送行方向に沿ってカッティングライン２４、２４を刻切し、第１貼り合わせシート３８を形成する両側端カッティング工程と、
（ｆ）第１貼り合わせシート３８を剥離ロール４１に導入し、カッティングされた幅（Ｌ＋Ｍ）の片端部と幅（Ｌ）の両端部とを剥離巻取手段４２にて巻き取り除去して、一方の印刷シート２１の幅方向一端部に延設シート部２１ａを有する第２貼り合わせシート４３を形成するカッティング部剥離巻取工程と、
（ｇ）該第２貼り合わせシート４３を折りロール４４を備えたホールダー手段と押圧対向する１対のニップロール４５間とに導入して、シート送行方向の中央領域に塗布形成された前記接着剤層３に沿って二つ折りし、長巻状の冊子状部Ａを形成する二つ折り工程と、
（ｈ）二つ折り冊子状に形成されて送行する前記長巻状冊子状部Ａと、巻き出し送行するラベル基材６、粘着剤層７、セパレータ８からなる長巻状ラベルシート状部Ｂのラベル基材６面の冊子状部Ａの幅方向両端部に重なる領域に、送行方向に沿って接着剤塗布手段５１にて接着剤層４、５を塗布形成する冊子接着用接着剤塗布工程と、
（ｉ）前記長巻状冊子状部Ａと前記接着剤層４、５を形成した長巻状ラベルシート状部Ｂとを貼り合わせ手段４６に導入して、長巻状冊子状部Ａの接着剤層４、５の真下及び貼着用延設端部２１ｆの真下と長巻状ラベルシート状部Ｂのラベル基材６とを前記接着剤層４、５により貼り合わせる冊子状部貼り合わせ工程と、
（ｊ）貼り合わされた長巻状冊子状部Ａと長巻状ラベルシート状部Ｂをロータリーカッター手段４７に導入して、長巻状ラベルシート状部Ｂの幅方向両側のセパレータ８を残してラベル基材６と粘着剤層７とを送行方向に沿ってラベル形状に型抜きカッティングし、且つ送行方向と直交する送行前後方向に沿って長巻状冊子状部Ａと長巻状ラベルシート状部のラベル基材６、粘着剤層７を型抜きカッティングするラベル型抜きカッティング工程と、
（ｋ）型抜きカッティングされた長巻状冊子状部Ａと長巻状ラベルシート状部Ｂとを剥離ロール４８に導入して、型抜きカッティングされた余白の長巻状冊子状部Ａと長巻状ラベルシート状部Ｂの余白のラベル基材６、粘着剤層７とを剥離巻取手段４９にて巻き取りながら長尺状セバレータ８面から剥離して長尺状セパレータ８面に型抜き配列された冊子状ラベルＡを形成するカッティング余白剥離工程と、
（ｌ）長尺状セパレータ８を型抜き配列された冊子状ラベルＡととともに巻取手段５２にて巻き取る巻取工程とを含むことを特徴とする冊子状ラベルの製造方法である。また、本発明の請求項６に係る発明は、上記請求項５に係る冊子状ラベルの製造方法において、前記（ｄ）片側端カッティング工程と、（ｅ）両側端カッティング工程とを、同一スリット手段により一工程にて行うことを特徴とする冊子状ラベルの製造方法である。